(57)【要約】【課題】  バックライトを有する高発色のＬＣＤモジュールを提供する。【解決手段】  上ガラス基板および下ガラス基板を備える。着色層５０は、上ガラス基板および下ガラス基板上に設けられる。カラーフィルタは、複数の着色層５０およびブラックマトリクス４８を備える。着色層５０は赤色層４５、緑色層４７および青色層４９を含む。保護層５５および導電層５６が順に二つの着色層５０上に設けられる。液晶材料６０は、上導電層と下導電層との間に充填される。【選択図】  図２
0003104646.tif 000002
【実用新案登録請求の範囲】
【請求項１】
上ガラス基板、下ガラス基板および反射液晶表示モジュールからなるバックライトを有する液晶表示モジュールであって、
前記上ガラス基板上に形成され、複数の第１のブラックマトリクスがその間に形成される複数の第１の着色層と、
前記第１の着色層および前記第１のブラックマトリクスをカバーする上保護層と、
前記上保護層をカバーする上導電層と、
前記下ガラス基板上に形成される複数の薄膜トランジスタと、
前記薄膜トランジスタ上に形成され、複数の第２のブラックマトリクスがその間に形成され、前記第１の着色層のカラーと同色を有する複数の第２の着色層と、
前記第２の着色層および前記第２のブラックマトリクスをカバーする下保護層と、
前記下保護層をカバーする下導電層と、
前記下導電層および前記上導電層の間に位置する液晶材料層とを備えることを特徴とするバックライトを有する液晶表示モジュール
【請求項２】
前記第１の着色層は、赤色層、緑色層および青色層を備えることを特徴とする請求項１記載のバックライトを有する液晶表示モジュール。
【請求項３】
前記第１の着色層は、約０．１〜４．０μｍの厚さを有することを特徴とする請求項１記載のバックライトを有する液晶表示モジュール。
【請求項４】
前記第２の着色層は、赤色層、緑色層および青色層を備えることを特徴とする請求項１記載のバックライトを有する液晶表示モジュール。
【請求項５】
前記第２の着色層は、赤色層、緑色層および青色層で構成するグループ中から選択されることを特徴とする請求項１記載のバックライトを有する液晶表示モジュール。
【請求項６】
前記第２の着色層は、約０．１〜４．０μｍの厚さを有することを特徴とする請求項１記載のバックライトを有する液晶表示モジュール。
【請求項７】
前記第１の着色層は、前記第２の着色層と同じ厚さであることを特徴とする請求項１記載のバックライトを有する液晶表示モジュール。
【請求項８】
前記第１の着色層は、前記第２の着色層と異なる厚さであることを特徴とする請求項１記載のバックライトを有する液晶表示モジュール。
【請求項９】
前記第１の着色層は、ストライプ状、トライアングル状またはモザイク状のパターンで配列することを特徴とする請求項１記載のバックライトを有する液晶表示モジュール。
【請求項１０】
前記第２の着色層は、ストライプ状、トライアングル状またはモザイク状のパターンで配列することを特徴とする請求項１記載のバックライトを有する液晶表示モジュール。
【考案の詳細な説明】
【技術分野】
【０００１】
本考案は、液晶表示モジュールに関し、特にバックライトを有する高色純度の液晶表示モジュールに関する。
【背景技術】
【０００２】
今日、表示器は情報交換に必要不可欠な装置となっている。陰極線管（cathode ray tube：ＣＲＴ）ディスプレイや液晶ディスプレイ（liquid crystal display：ＬＣＤ）などといった表示器の製造方法には数種類ある。
【０００３】
従来のＣＲＴディスプレイは、製造技術および様々な応用として十分に発展している。ＣＲＴディスプレイは、テレビジョン装置のカラー表示器として提供されているが、大型で重いために、ノートブック型コンピュータのディスプレイおよびパーソナルデジタルアシスタント（Personal Digital Assistant：ＰＤＡ）のディスプレイなどといったある分野には応用することができなかった。そのため、ＬＣＤは小型で軽量であることから、様々な分野においてＣＲＴディスプレイに取って代わり使用されている。
【０００４】
カラーＬＣＤモジュールの液晶は、自ら着色光を発光することができず、光線がカラーフィルタを透過することによりカラーが表示される。ＬＣＤの応用が増えるにつれ、ＬＣＤテレビジョン、高コントラストカラーディスプレイなどといった高発色ディスプレイの必要性が高まっている。しかしながら、従来の赤、緑および青の着色層材料では、高発色の表示を提供することができなかった。
【考案の開示】
【考案が解決しようとする課題】
【０００５】
本考案の目的は、バックライトを有する高発色のＬＣＤモジュールを提供することにある。
【課題を解決するための手段】
【０００６】
上述およびその他の目的を達成するために、本考案のバックライトＬＣＤモジュールは、上ガラス基板および下ガラス基板を備える。着色層は、上ガラス基板および下ガラス基板上に設けられる。カラーフィルタは、複数の着色層およびブラックマトリクスを備える。着色層は赤色層、緑色層および青色層を含む。保護層および導電層が順に両方の着色層上に設けられる。液晶材料は、上導電層と下導電層との間に充填される。
【０００７】
本考案の好適な第１実施例によると、着色層の厚さは約０．１〜４．０μｍである。着色層は、必要に応じて同じまたは異なる厚さで、上ガラス基板および下ガラス基板上に設けられる。着色層は、ストライプ状、トライアングル状またはモザイク状のパターンに配列される。
【０００８】
本考案の好適な第２実施例によると、着色層の厚さは約０．１〜４．０μｍである。一つだけの着色層が上ガラス基板および下ガラス基板上に設けられ、他の着色層は補償膜により代替される。着色層は、ストライプ状、トライアングル状またはモザイク状のパターンに配列される。
【０００９】
一般に、バックライトを有する液晶表示モジュールは、高コントラストのカラーディスプレイを提供することができる。さらに、異なる厚さを有する二つの着色層をそれぞれ上基板および下基板上に設けるか、或いは一つだけの着色層を、必要に応じて両方の基板上に設けることができる。
【考案の効果】
【００１０】
上述の本考案から分かるように、本考案はバックライトを有する高発色のＬＣＤモジュールを提供することができる。
【考案を実施するための最良の形態】
【００１１】
添付の図面を参照して、本考案の好適な実施例を説明する。可能な限り、同じ参照番号は図面および説明において同じもの又は似たものを示すのに使用する。
【００１２】
高発色ＬＣＤに対するニーズに応えるため、ＬＣＤモジュールの両方のガラス基板にはカラーフィルタが形成される。本考案は、二層のカラーフィルタを用いる方法により高コントラストを提供する。
【００１３】
（第１実施例）
図１は、本考案の好適な第１実施例によるバックライトを有するＬＣＤモジュールを示す断面図である。バックライトを有するＬＣＤモジュールは、バックライトという一つだけの光源を有する。例えば、バックライト光源４０は、バックライト３０を発光してガラス基板を透過させるため、観察者の目８０はイメージを見ることができる。本考案の第１実施例によると、カラーフィルタは両方のガラス基板上に設けられる。カラーフィルタは、着色層５０およびブラックマトリクス４８からなり、着色層５０は赤色、緑色および青色を含む。光線が異なる着色層を透過すると、ＬＣＤは異なるカラーを表示する。例えば、光線が赤色の着色層を透過すると、ＬＣＤは赤色を表示する。高コントラストカラーを表示するために、光源はさらに多くの着色層を透過する必要がある。そのため、カラーフィルタをガラス基板５４上に設け、薄膜トランジスタ４４の層をガラス基板４２上に設けるよりも、カラーフィルタをガラス基板５４およびガラス基板４２上に設けたほうが良い。カラーフィルタは、必要に応じて同じまたは異なる厚さで、ガラス基板４２およびガラス基板５４上に設けられる。層の厚さは約０．１〜４．０μｍが好ましい。
【００１４】
図１に示すように、完成されたＬＣＤモジュールは、薄膜トランジスタ４４、二つのガラス基板上のカラーフィルタ（着色層５０およびブラックマトリクス４８）、保護層５５、導電層５６および液晶材料層６０を含む。薄膜トランジスタ４４を用いて液晶材料層６０を制御する。カラーフィルタは、高コントラストカラーを有するＬＣＤを提供する。着色層５０およびブラックマトリクス４８上に設けられた保護層５５を用いて液晶材料６０を隔離する。導電層５６は、薄膜トランジスタ４４と液晶材料６０との間の導電界面である。
【００１５】
図２は、本考案の好適な第１実施例によるカラーフィルタを示す断面図である。図２は、本実施例を詳しく説明するため、保護層、導電層および薄膜トランジスタといった他の層を除いたカラーフィルタの拡大断面図である。バックライト３０は、ガラス基板４２、カラーフィルタ、液晶材料層６０、カラーフィルタおよびガラス基板５４を透過して外へ進む。この好適な第１実施例における着色層は、赤色層４５、緑色層４７および青色層４９からなる。着色層は、ストライプ状（図４Ａに示す）、トライアングル状（図４Ｂに示す）またはモザイク状（図４Ｃに示す）のパターンに配列してもよい。同じ着色層のパターンは、ガラス基板の両面で対応する位置に配置する。例えば、赤色層はガラス基板両面で対応する位置に配置されなければならない。着色層は、必要に応じて同じまたは異なる厚さで、ガラス基板４２およびガラス基板５４上に設け、層の厚さは約０．１〜４．０μｍが好ましい。ブラックマトリクスは不透明材料からなり、光線が着色層の間を進むことを防ぐ。
【００１６】
（第２実施例）
図３は、本考案の好適な第２実施例によるカラーフィルタの断面図である。第２実施例では、特に一つだけの色を高コントラストカラーに処理する。例えば、緑色層４７だけを特別に高コントラストカラーに処理する。赤色層４５および青色層４９は、ガラス基板４２上に設けられず、その代わりに補償膜を赤色層４５および青色層４９の代替として用いる。着色層は、必要に応じて同じまたは異なる厚さで、ガラス基板４２およびガラス基板５４上に設けられ、層の厚さは約０．１〜４．０μｍが好ましい。
【００１７】
本考案の好適な第２実施例によると、バックライトを有するＬＣＤモジュールは高コントラストカラーディスプレイを提供することができる。さらに、異なる厚さを有する二つの着色層をそれぞれ上基板および下基板上に設けるか、或いは一つだけの着色層を、必要に応じて両方の基板上に設けることができる。
【００１８】
本考案では好適な実施形態を前述の通り開示したが、これらは決して本考案を限定するものではなく、当該技術を熟知するものなら誰でも、本考案の主旨と領域を脱しない範囲内で各種の変動や潤色を加えることができる。従って本考案の保護の範囲は、実用新案登録請求の範囲で指定した内容を基準とする。
【図面の簡単な説明】
【００１９】
【図１】本考案の第１実施例によるバックライトを有するＬＣＤモジュールの断面図である。
【図２】本考案の第１実施例によるカラーフィルタを示す断面図である。
【図３】本考案の第２実施例によるカラーフィルタを示す断面図である。
【図４Ａ】着色層の配置パターンの三種類中の一つを示す図である。
【図４Ｂ】着色層の配置パターンの三種類中の一つを示す図である。
【図４Ｃ】着色層の配置パターンの三種類中の一つを示す図である。
【符号の説明】
【００２０】
３０  バックライト
４０  バックライト光源
４２、５４  ガラス基板
４４  薄膜トランジスタ
４５  赤色層
４７  緑色層
４８  ブラックマトリクス
４９  青色層
５０  着色層
５５  保護層
５６  導電層
６０  液晶材料層
８０  観察者の目
【図１】
0003104646.tif 000003
【図２】
0003104646.tif 000004
【図３】
0003104646.tif 000005
【図４Ａ】
0003104646.tif 000006
【図４Ｂ】
0003104646.tif 000007
【図４Ｃ】
0003104646.tif 000008